(57)【要約】【課題】組み立て作業を容易とし、かつ耐え得る外力を大きくした対震丁番を提供する。【解決手段】対震丁番１は、平板部２０及びこれと一体に形成される管部２１を有する上羽根板２と、平板部３０及びこれと一体に形成される管部３１を有する下羽根板３と、管部３１に固定されて管部２１に挿入され、上羽根板２を下羽根板３に対して回転自在かつ着脱自在に連結するための軸４と、管部２１，３１間の隙間を維持するためのユニット５と、を備える。ユニット５は、バネ５０と、これを管部２１内で保持するための保持部材５１と、を有する。保持部材５１は、バネ５０の一端を押さえるためのスペーサ５３及び義星５５と、バネ５０の他端を押さえるための押さえ板５２ａと、バネ５０を圧縮可能な状態でスペーサ５３と押さえ板５２ａとを保持するピン５２ｂと、を有し、ピン５２ｂは、バネ５０の内側に挿通される。【選択図】図１
0003187076.tif 000002
【実用新案登録請求の範囲】
【請求項１】
第１の取付板と、該第１の取付板と一体に形成される第１の管部と、を有する第１の羽根板と、
第２の取付板と、該第２の取付板と一体に形成される第２の管部と、を有する第２の羽根板と、
前記第２の管部に固定されるとともに前記第１の管部に挿入されて、前記第１の羽根板を前記第２の羽根板に対して回転自在かつ着脱自在に連結するための軸と、
前記第１の管部と前記第２の管部との間の隙間を維持するためのユニットと、を備え、
前記ユニットは、バネ部材と、該バネ部材を前記第１の管部内で保持するための保持部材と、を有し、
前記保持部材は、前記第１の管部に固定されて前記バネ部材の一端を押さえるための第１の押さえ部材と、前記軸と前記バネ部材の他端との間に配置されて該他端を押さえるための第２の押さえ部材と、前記バネ部材を圧縮可能な状態で前記第１の押さえ部材と前記第２の押さえ部材とを保持する保持手段と、を有し、
前記保持手段は、前記バネ部材の内側に挿通されることを特徴とする対震丁番。
【請求項２】
前記第１の押さえ部材は、前記保持手段を前記第１の管部に沿って移動可能とするための空間を確保するためのスペーサを有し、
前記スペーサは、孔部を有し、かつ前記バネ部材の一端を押さえるための押さえ板と、該押さえ板の縁部に立設される側面部と、を有するとともに、前記押さえ板及び前記側面部によって前記空間を形成し、
前記保持手段は、前記バネ部材の内側及び前記孔部に挿通される棒状部材と、該棒状部材が前記孔部から抜け落ちることを防止するための抜け止め部材と、を有し、
前記棒状部材の上端は、前記空間内に挿入された状態で前記抜け止め部材によって前記押さえ板に保持され、前記棒状部材の下端は、前記第２の押さえ部材と一体に形成されていることを特徴とする請求項１に記載の対震丁番。
【請求項３】
前記側面部は、開口を有し、
前記開口は、前記抜け止め部材を挿通可能に構成されていることを特徴とする請求項２に記載の対震丁番。
【請求項４】
前記第１の押さえ部材は、前記保持手段を前記第１の管部に沿って移動可能とするための空間を確保するためのスペーサを有し、
前記スペーサは、切欠き部を有し、かつ前記バネ部材の一端を押さえるための押さえ板と、該押さえ板の縁部に立設される側面部と、を有するとともに、前記押さえ板及び前記側面部によって前記空間を形成し、
前記切欠き部は、前記押さえ板の縁部からその内側に向かって形成され、
前記保持手段は、前記バネ部材の内側及び前記切欠き部に挿通される棒状部材を有し、
前記棒状部材は、前記切欠き部の幅よりも小さい径を有するくびれ部と、前記切欠き部の幅よりも大きい径を有する頭部と、を有し、
前記棒状部材のくびれ部が前記押さえ板の縁部から前記切欠き部に挿入されて、前記棒状部材の頭部が前記空間内に挿入された状態で前記押さえ板の上面に係合し、前記棒状部材の下端は、前記第２の押さえ部材と一体に形成されていることを特徴とする請求項１に記載の対震丁番。
【請求項５】
前記側面部は、開口を有し、
前記開口は、前記棒状部材のくびれ部を前記切欠き部に挿入可能に構成されていることを特徴とする請求項４に記載の対震丁番。
【請求項６】
前記バネ部材は、前記第１の管部の内面に接触可能な状態で配置されることを特徴とする請求項１乃至請求項５のいずれか一項に記載の対震丁番。
【請求項７】
前記第１の押さえ部材は、前記第１の管部の内周面に固定される固定部材をさらに有し、
前記固定部材は、スポット溶接によって前記第１の管部に固定されることを特徴とする請求項１乃至請求項６のいずれか一項に記載の対震丁番。
【考案の詳細な説明】
【技術分野】
【０００１】
本考案は、外力により扉枠が変形した場合でも、扉を開閉できるようにするための対震丁番に関する。
【背景技術】
【０００２】
従来、扉が取り付けられた扉枠が、例えば地震などの非常時に外力を受けて変形した場合でも、扉を円滑に開閉できるようにするための対震丁番が知られている。この種の対震丁番は、扉及び扉枠にそれぞれ取り付けられる上羽根板及び下羽根板と、上羽根板と下羽根板とを連結するための軸と、両羽根板間の隙間を維持するためのユニットと、を備えている（例えば、特許文献１参照）。
【０００３】
上羽根板及び下羽根板はそれぞれ、平板部と、この平板部に一体に形成される管部と、を有する。
【０００４】
軸は、下羽根板の管部に圧入されている。この軸の上端は、下羽根板の管部から突出し、上羽根板の管部内に嵌合されている。それにより、上羽根板が下羽根板と回転自在かつ着脱自在に連結されている。
【０００５】
ユニットは、中空無底の略円筒状シリンダと、このシリンダ内の抜け止め用の絞り上に順次配置されるプラグ及びバネと、バネをプラグに対して圧縮した状態でシリンダに固定される義星と、を有する。ユニットは上羽根板の管部内に挿入されており、その状態で義星がその管部に固定されている。
【０００６】
上羽根板の管部内に配置されたユニット内のプラグは、軸の上端により押圧されている。通常時においては、バネはこの押圧力を受けても縮まず、上羽根板と下羽根板との間に隙間が維持される。
【０００７】
扉枠が変形した場合には、バネが縮むことにより、その隙間が縮まって上羽根板が下羽根板に対して回転することができる。それにより、扉を開閉することができる。
【先行技術文献】
【特許文献】
【０００８】
【特許文献１】特許第４０２８４７８号
【考案の概要】
【考案が解決しようとする課題】
【０００９】
上記のような対震丁番においては、プラグ及びバネが義星によってシリンダ内に封入され、これらの部材が１つにまとまったユニットとして構成されている。そのため、これらの部材を個々に管部内に挿入する作業が必要なくなるので、組み立て作業を容易とすることができる。
【００１０】
しかしながら、上記のような対震丁番においては、バネが上羽根板の管部内にあるシリンダ内に配置されているので、この管部内にシリンダを有しないタイプの対震丁番に比べて、バネの外径が少なくともシリンダの厚みに相当する分だけ小さくなり、その結果、バネの弾性力も小さくなる。そのため、上記のような対震丁番では、耐え得る外力が小さくなってしまう。
【００１１】
本考案は、上記課題を解決するためになされたものであり、組み立て作業を容易とし、かつ耐え得る外力を大きくした対震丁番を提供することを目的とする。
【課題を解決するための手段】
【００１２】
上記課題を解決するために本考案は、第１の取付板と、該第１の取付板と一体に形成される第１の管部と、を有する第１の羽根板と、第２の取付板と、該第２の取付板と一体に形成される第２の管部と、を有する第２の羽根板と、前記第２の管部に固定されるとともに前記第１の管部に挿入されて、前記第１の羽根板を前記第２の羽根板に対して回転自在かつ着脱自在に連結するための軸と、前記第１の管部と前記第２の管部との間の隙間を維持するためのユニットと、を備え、前記ユニットは、バネ部材と、該バネ部材を前記第１の管部内で保持するための保持部材と、を有し、前記保持部材は、前記第１の管部に固定されて前記バネ部材の一端を押さえるための第１の押さえ部材と、前記軸と前記バネ部材の他端との間に配置されて該他端を押さえるための第２の押さえ部材と、前記バネ部材を圧縮可能な状態で前記第１の押さえ部材と前記第２の押さえ部材とを保持する保持手段と、を有し、前記保持手段は、前記バネ部材の内側に挿通されることを特徴とする。
【００１３】
この構成によれば、バネ部材及び保持部材が、第１の羽根板の第１の管部と第２の羽根板の第２の管部との間の隙間を保つために、ユニットとして１つにまとめて配置される。そのため、バネ部材及び保持部材を個々に第１の管部内に配置するための作業が必要なくなる。したがって、対震丁番の組み立て作業を容易とすることができる。
【００１４】
しかも、バネ部材は、保持手段の外側に配置され、かつ第１の管部内において他の部材によって覆われていないので、このバネ部材は第１の管部内において第１の押さえ部材及び第２の押さえ部材に押さえられた状態で保持手段の周りに露出している。そのため、バネ部材が他の部材によって覆われているタイプの対震丁番に比べて、バネ部材の外径を他の部材の厚みに相当する分だけ大きくすることができ、その結果、バネ部材の弾性力も大きくすることができる。したがって、対震丁番が耐え得る外力を大きくすることができる。
【００１５】
この考案において、前記第１の押さえ部材は、前記保持手段を前記第１の管部に沿って移動可能とするための空間を確保するためのスペーサを有し、前記スペーサは、孔部を有し、かつ前記バネ部材の一端を押さえるための押さえ板と、該押さえ板の縁部に立設される側面部と、を有するとともに、前記押さえ板及び前記側面部によって前記空間を形成し、前記保持手段は、前記バネ部材の内側及び前記孔部に挿通される棒状部材と、該棒状部材が前記孔部から抜け落ちることを防止するための抜け止め部材と、を有し、前記棒状部材の上端は、前記空間内に挿入された状態で前記抜け止め部材によって前記押さえ板に保持され、前記棒状部材の下端は、前記第２の押さえ部材と一体に形成されていることが好ましい。
【００１６】
この構成によれば、棒状部材の上端が、押さえ板の孔部を通って押さえ板及び側面部により形成されるスペーサの空間内へ差し込まれて、抜け止め部材によって押さえ板に保持された状態が保たれている。この状態で棒状部材の下端が、第２の押さえ部材から第１の押さえ部材側へと押圧力を受けると、この棒状部材は、押さえ板の孔部を通ってスペーサの空間内へスムーズに抵抗なく挿入されて、バネ部材が押さえ板に対して圧縮される。したがって、対震丁番が受ける外力をバネ部材によって確実に吸収することができる。
【００１７】
この考案において、前記側面部は、開口を有し、前記開口は、前記抜け止め部材を挿通可能に構成されていることが好ましい。
【００１８】
この構成によれば、抜け止め部材を側面部の開口から空間内に挿入して棒状部材に嵌め合わせることができる。このため、棒状部材に抜け止め部材を容易に装着することができる。
【００１９】
この考案において、前記第１の押さえ部材は、前記保持手段を前記第１の管部に沿って移動可能とするための空間を確保するためのスペーサを有し、前記スペーサは、切欠き部を有し、かつ前記バネ部材の一端を押さえるための押さえ板と、該押さえ板の縁部に立設される側面部と、を有するとともに、前記押さえ板及び前記側面部によって前記空間を形成し、前記切欠き部は、前記押さえ板の縁部からその内側に向かって形成され、前記保持手段は、前記バネ部材の内側及び前記切欠き部に挿通される棒状部材を有し、前記棒状部材は、前記切欠き部の幅よりも小さい径を有するくびれ部と、前記切欠き部の幅よりも大きい径を有する頭部と、を有し、前記棒状部材のくびれ部が前記押さえ板の縁部から前記切欠き部に挿入されて、前記棒状部材の頭部が前記空間内に挿入された状態で前記押さえ板の上面に係合し、前記棒状部材の下端は、前記第２の押さえ部材と一体に形成されていることが好ましい。
【００２０】
この構成によれば、棒状部材のくびれ部が押さえ板の縁部から切欠き部に挿入されることにより、棒状部材の頭部が、押さえ板及び側面部により形成されるスペーサの空間内へ挿入されて押さえ板の上面に係合された状態となる。この状態で棒状部材の下端が、第２の押さえ部材から第１の押さえ部材側へと押圧力を受けると、棒状部材のくびれ部は、押さえ板の切欠き部を通ってスペーサの空間内へスムーズに抵抗なく挿入されて、バネ部材が押さえ板に対して圧縮される。したがって、対震丁番が受ける外力をバネ部材によって確実に吸収することができる。
【００２１】
この考案において、前記側面部は、開口を有し、前記開口は、前記棒状部材のくびれ部を前記切欠き部に挿入可能に構成されていることが好ましい。
【００２２】
この構成によれば、側面部の開口から棒状部材のくびれ部を切欠き部に挿入して、スペーサに棒状部材を容易に係合することができる。また、この開口は、例えば抜け止め部材を挿入するための開口に比べて幅を狭く設定されることが可能であり、これにより、側面部の面積を大きく設定することができる。そのため、側面部とこの側面部が固定される被固定物との間の接触面積が増えて、これらの固定を強化することができる。また、抜け止め部材のような別個の部材を必要とすることなく、棒状部材をスペーサに係合することができるので、部品点数を減らすことができる。
【００２３】
この考案において、前記バネ部材は、前記第１の管部の内面に接触可能な状態で配置されることが好ましい。
【００２４】
この構成によれば、バネ部材を第１の管部の内面と接触させた状態で配置することができる。そのため、第１の管部内において、バネ部材の外径を最大に設定し、その結果、バネ部材の弾性力も最大とすることができる。したがって、対震丁番の耐え得る外力をさらに大きくすることができる。
【００２５】
この考案において、前記第１の押さえ部材は、前記第１の管部の内周面に固定される固定部材をさらに有し、前記固定部材は、スポット溶接によって前記第１の管部に固定されることが好ましい。
【００２６】
この構成によれば、固定部材を第１の管部の内周面に固定するために例えばピンなどの部材を別個に必要としないので、部品点数を減らすことができる。
【考案の効果】
【００２７】
以上説明したように、本考案によれば、組み立て作業を容易とし、かつ耐え得る外力を大きくした対震丁番を提供することができる。
【図面の簡単な説明】
【００２８】
【図１】本考案の第１の実施形態に係る対震丁番を示す断面図である。
【図２】同対震丁番が備えているユニットを示す断面図である。
【図３】同ユニットが有するバネを示す側面図である。
【図４】同ユニットが有するルーズピンを示す側面図である。
【図５】（ａ）は同ユニットが有するスペーサを示す側面図であり、（ｂ）は同スペーサを示す上面図である。
【図６】（ａ）は同ユニットが有するワッシャを示す側面図であり、（ｂ）は同ワッシャを示す上面図である。
【図７】同ユニットが有する義星を示す側面図である。
【図８】本考案の第２の実施形態に係る対震丁番が備えるユニットを示す断面図である。
【図９】（ａ）は同ユニットが有するルーズピンを示す側面図であり、（ｂ）は同ルーズピンを示す上面図である。
【図１０】（ａ）は同ユニットが有するスペーサを示す側面図であり、（ｂ）は同スペーサを示す上面図である。
【考案を実施するための形態】
【００２９】
以下、本考案の第１の実施形態に係る対震丁番について図１乃至図７を参照して説明する。図１に示すように、対震丁番１は、扉に取り付けられる上羽根板２（第１の羽根板）と、扉枠に取り付けられる下羽根板３（第２の羽根板）と、これらを連結するための軸４と、両羽根板２，３間に形成される隙間を維持するためのユニット５と、を備えている。
【００３０】
上羽根板２及び下羽根板３はそれぞれ、略矩形状の平板部２０，３０（第１の取付板及び第２の取付板）と、これらの平板部２０，３０と一体に形成される管部２１，３１（第１の管部及び第２の管部）と、を有する。
【００３１】
平板部２０，３０はそれぞれ、上羽根板２又は下羽根板３を例えばビス止め等によって扉又は扉枠に取り付けるための複数の取付孔２２，３２を有する。本実施形態では、これらの取付孔２２，３２の数は５つであるが、これに限定されない。また、平板部２０の面積は、平板部３０の面積よりも大きく設定されているが、これに限定されることなく、対震丁番１が取り付けられる場所などに合わせて適宜設定することができる。
【００３２】
管部２１，３１はそれぞれ、直線状に延びる中空の部材であって、平板部２０，３０の一長辺を内側に丸く巻き込んで形成されるものである。管部２１，３１の上端及び下端はそれぞれ、開口している。
【００３３】
軸４は、断面円状であって直線状に延びる部材である。軸４の上端部分は、略円錐状に形成されている。この上端部分の先端には、くぼみ４０が形成されている。このくぼみ４０には、ユニット５を押圧するための鋼球４１が嵌め込まれるとともに、この鋼球４１がくぼみ４０から抜け落ちないようにするための抜け止め（図示せず）が形成されている。
【００３４】
軸４の外径は、管部２１，３１の内径よりも若干小さく設定されている。軸４の下端部分は、管部３１の上端から管部３１内に挿入されて溶接されている。軸４の上端部分は、管部３１の上端から突出しており、管部２１の下端から管部２１内へ挿入されている。それにより、上羽根板２は、軸４を介して下羽根板３と回転自在及び着脱自在に連結されている。
【００３５】
ユニット５は、全体として管部２１に沿った直線状に形成されている。また、ユニット５の上端部分を除いた、軸方向に垂直な幅は、管部２１，３１の内径よりも若干小さく設定されている。ユニット５は、その上端部分を除いて管部２１の上端から管部２１内に挿入されて、その下端部分が軸４の上端（鋼球４１）と接触している。管部２１の下端と管部３１の上端との間には、隙間Ｇが形成されている。
【００３６】
図２に示すように、ユニット５は、バネ５０（バネ部材）と、このバネ５０を管部２１内で保持するための保持部材５１と、を有する。バネ５０は、図３に示すように、例えば圧縮コイルばねを用いることができる。このバネ５０は、対震丁番１が非常時に受ける外力を吸収するための部材であり、その伸縮方向を管部２１の軸心方向に沿わせて管部２１内に配置される。この配置態様として、バネ５０が、管部２１の内面に接触可能な状態で配置されることが好ましい。
【００３７】
バネ５０の両端は、保持部材５１と接触している。バネ５０は、通常時において、その両端が保持部材５１から押さえられても圧縮されない程度のばね力を有している。また、バネ５０は、非常時において対震丁番１が受ける外力を吸収するために、少なくとも隙間Ｇに相当する収縮代を有する。
【００３８】
保持部材５１は、バネ５０の内側を通るように配置されるルーズピン５２と、このルーズピン５２を管部２１に沿って移動可能とするための空間を確保するためのスペーサ５３と、ルーズピン５２をスペーサ５３に保持するためのワッシャ５４（抜け止め部材）と、ユニット５を管部２１に固定するための義星５５（固定部材）と、を有する。ルーズピン５２は、図４に示すように、押さえ板５２ａと、この押さえ板５２ａの上面に管部２１に沿って延びるように設けられるピン５２ｂ（棒状部材）と、を有する。
【００３９】
スペーサ５３及び義星５５によって、管部２１に固定されてバネ５０の一端を押さえるための第１の押さえ部材が構成され、押さえ板５２ａによって、軸４とバネ５０の他端との間に配置されてこの他端を押さえるための第２の押さえ部材が構成される。また、ピン５２ｂ及びワッシャ５４によって、バネ５０を圧縮可能な状態で上記第１の押さえ部材及び第２の押さえ部材を保持する保持手段が構成される。
【００４０】
押さえ板５２ａは、上記ユニット５の下端部分に相当するものであり、管部２１の内径よりも若干小さい径を有する円板状に形成され、管部２１内において軸４の鋼球４１とバネ５０の下端との間に位置している。押さえ板５２ａは、非常時において、鋼球４１から強い押圧力を受けてバネ５０の下端を押圧することによってバネを圧縮する。押さえ板５２ａの形状は、円板状に限定されない。
【００４１】
ピン５２ｂは、円柱状に形成されている。ピン５２ｂの上端は、スペーサ５３に保持される。この上端部分には、直径が他の部分よりも若干小さくなったくびれ部５２ｃと、その上側に位置する頭部５２ｅが形成されている。ピン５２ｂの下端は、押さえ板５２ａと一体に形成されている。
【００４２】
スペーサ５３は、図５（ａ），（ｂ）に示すように、バネ５０の上端を押さえる押さえ板５３ａと、この押さえ板５３ａの縁部に管部２１に沿って立設される２つの側面部５３ｂ，５３ｂと、を有する。これらの部材によって形成されるスペーサ５３の内側は中空となっており、所定の広さの空間Ｓが確保されている。
【００４３】
押さえ板５３ａは、略円板状に形成され、バネ５０の上端上に配置されている。この押さえ板５３ａは、バネ５０の上端を押さえて固定している。押さえ板５３ａの形状は、略円板状に限定されない。
【００４４】
押さえ板５３ａは、その中心に円形の孔部５３ｃを有する。この孔部５３ｃの直径は、ピン５２ｂの直径よりも若干大きく設定されている。それにより、孔部５３ｃはこの孔部５３ｃにピン５２ｂを挿通することを可能としており、ピン５２ｂのくびれ部５３ｃ及び頭部５２ｅは、この孔部５３ｃを通って空間Ｓ内へ挿入されている。
【００４５】
側面部５３ｂ，５３ｂは、ユニット５が管部２１内に挿入された状態で、この管部２１の軸心に対して互いに対称に設けられている。これらの側面部５３ｂ，５３ｂは、互いに間隔を空けて形成されており、これら５３ｂ，５３ｂ間の開口５３ｄ，５３ｄは、ワッシャ５４をスペーサ５３の空間Ｓ内へ挿入可能に構成されている。側面部５３ｂ，５３ｂの上端は開口しており、この開口には義星５５が挿入される。
【００４６】
ワッシャ５４は、図６（ａ），（ｂ）に示すように、周方向の一部に切り欠き部５４ａが形成された略リング状を有する。このワッシャ５４の内径は、ピン５２ｂのくびれ部５２ｃの直径とほぼ同じ値になるように設定されている。ワッシャ５４は、空間Ｓ内へ挿入されたピン５２ｂのくびれ部５２ｃに、この切り欠き部５４ａを通して嵌合されて圧入されている。それにより、バネ５０を圧縮可能な状態でルーズピン５２の押さえ板５２ａとスペーサ５３の押さえ板５３ａとが保持される。
【００４７】
ワッシャ５４の内径は、くびれ部５２ｃを除いたピン５２ｂの本体部分の径よりも小さく設定されている。そのため、ワッシャ５４が嵌め込まれたピン５２ｂは、このワッシャ５４の内側を通って移動することはできず、ワッシャ５４がくびれ部５２ｃに嵌め込まれた状態が保たれている。
【００４８】
また、ワッシャ５４の外径は、押さえ板５３ａの孔部５３ｃの直径よりも大きく設定されている。そのため、ワッシャ５４は、その孔部５３ｃを挿通することができない。
【００４９】
したがって、ピン５２ｂは、ワッシャ５４の内側を通って下方へ移動することを妨げられるともに、ワッシャ５４とともに孔部５３ｃからも抜け落ちないようになっている。
【００５０】
義星５５は、図７に示すように、第１の円筒部５５ａと、この第１の円筒部５５ａの上側に設けられる第２の円筒部５５ｂと、この第２の円筒部５５ｂの上側に設けられる円板部５５ｃと、を有する。
【００５１】
第１の円筒部５５ａの直径は、スペーサ５３の側面部５３ｂ，５３ｂ同士の内幅よりも若干小さく設定されている。第１の円筒部５５ａは、側面部５３ｂ，５３ｂの上端側からスペーサ５３の空間Ｓ内へ挿入され、溶接によって側面部５３ｂ，５３ｂの内面と接着される。
【００５２】
第２の円筒部５５ｂの直径は、管部２１の内径よりも若干小さく設定されている。第２の円筒部５５ｂの側面には、溶接の際に溶けて接着材として機能する溶接部５５ｄが設けられている。第２の円筒部５５ｂが管部２１内に挿入され、その状態で溶接部５５ｄがスポット溶接によって溶けることにより、第２の円筒部５５ｂが管部２１の内面と接着されて固定される。
【００５３】
円板部５５ｃは、管部２１の外側に配置されるユニット５の上端部分に相当するものであり、この円板部５５ｃの直径は、管部２１の内径よりも大きく、かつ管部２１の外径よりも小さく設定されている。円板部５５ｃの下面は、管部２１の上端面と当接して管部２１の上端の開口を塞いでいる。
【００５４】
なお、上記構成を有する義星５５と同様のものが、管部３１の下端側から管部３１内に挿入されて固定されている。また、管部２１と管部３１との間には、隙間Ｇを隠すためのスカートが設けられてもよい。
【００５５】
次に、対震丁番１の動作について説明する。通常時において、保持部材５１のルーズピン５２の押さえ板５２ａは、軸４の鋼球４１からいくらかの押圧力を受けている。しかしながら、押さえ板５２ａはバネ５０のばね力によって上方へ移動することができず、バネ５０は圧縮されない。したがって、ピン５２ｂもスペーサ５３の空間Ｓ内へ移動しないので、ユニット５の全長が変化せず、上羽根板２の管部２１と下羽根板３の管部３１との間の隙間Ｇが維持される。
【００５６】
非常時において、押さえ板５２ａは、扉枠の変形等に起因する外力によって鋼球４１から通常時よりも強い押圧力を受ける。それにより、押さえ板５２ａがバネ５０のばね力に逆らって上方へ移動し、バネ５０が圧縮される。このとき、ピン５２ｂもスペーサ５３の空間Ｓ内へ移動するので、ユニット５の全長が小さくなり、管部２１と管部３１との間の隙間Ｇも小さくなる。こうして、対震丁番１に及ぼされる外力がバネ５０によって吸収されて、上羽根板２が下羽根板３と回転自在に連結された状態が維持されるので、扉を開閉することができる。
【００５７】
以上説明したように、本実施形態の対震丁番１によれば、ユニット５のバネ５０及び保持部材５１が、上羽根板２の管部２１と下羽根板３の管部３１との間の隙間Ｇを保つために、ユニット５として１つにまとめて配置される。そのため、バネ５０及び保持部材５１を個々に管部２１内に配置するための作業が必要なくなる。したがって、対震丁番１の組み立て作業を容易とすることができる。
【００５８】
しかも、バネ５０は、ルーズピン５２のピン５２ｂの外側に配置され、かつ管部２１内において他の部材によって覆われていないので、このバネ５０は管部２１内においてルーズピン５２の押さえ板５２ａ及びスペーサ５３の押さえ部材５３ａに押さえられた状態でピン５２ｂの周りに露出している。そのため、バネ５０が他の部材によって覆われているタイプの対震丁番に比べて、バネ５０の外径を他の部材の厚みに相当する分だけ大きくすることができ、その結果、バネ５０の弾性力も大きくすることができる。したがって、対震丁番１が耐え得る外力を大きくすることができる。
【００５９】
また、ピン５２ｂの上端が、押さえ板５３ａの孔部５３ｃを通って押さえ板５３ａ及び側面部５３ｂにより形成されるスペーサ５３の空間Ｓ内へ差し込まれ、ワッシャ５４によって押さえ板５３ａに保持された状態が保たれている。この状態でピン５２ｂの下端が、押さえ板５２ａから押さえ板５３ａ側へと押圧力を受けると、このピン５２ｂはその孔部５３ｃを通ってその空間Ｓ内へスムーズに抵抗なく挿入され、バネ５０が押さえ板５３ａに対して圧縮される。したがって、対震丁番１が受ける外力をバネ５０によって確実に吸収することができる。
【００６０】
また、バネ５０は、管部２１内において他の部材によって覆われておらず、管部２１の内面と接触させた状態で配置することができる。そのため、管部２１内において、バネ５０の外径を最大に設定し、その結果、バネ５０の弾性力も最大とすることができる。したがって、対震丁番１の耐え得る外力をさらに大きくすることができる。
【００６１】
また、ワッシャ５４をスペーサ５３の側面部５３ｂ，５３ｂの開口５３ｄ，５３ｄからスペーサ５３の空間Ｓ内に挿入してピン５２ｂに嵌め合わせることができるので、ピン５２ｂにワッシャ５４を容易に装着することができる。
【００６２】
また、義星５５の第２の円筒部５５ｂが、スポット溶接によって管部２１に固定されるので、義星５５を管部２１の内面に固定するために例えばピンなどの部材を別個に必要としない。そのため、部品点数を減らすことができる。
【００６３】
次に、本考案の第２の実施形態に係る対震丁番について図８乃至図１０を参照して説明する。本実施形態の対震丁番においては、図８に示すように、ユニット５の構成が、上記第１の実施形態のユニット５の構成と異なっている。具体的に、本実施形態のユニット５は、上記第１の実施形態と異なった構成を有するルーズピン５２及びスペーサ５３を備えている。
【００６４】
具体的に、本実施形態のルーズピン５２のピン５２ｂは、図９（ａ），（ｂ）に示すように、上記第１の実施形態のピン５２ｂのくびれ部５２ｃよりも軸方向の長さが長くなったくびれ部５２ｄを有する。本実施形態のピン５２ｂは、このくびれ部５２ｄの軸方向に沿った長さ分に相当する距離だけ管部２１に沿って移動可能となる（詳細は後述）。
【００６５】
また、本実施形態のスペーサ５３は、図１０（ａ），（ｂ）に示すように、押さえ板５３ａの縁部から中心に向かって連通するように形成された切欠き部５３ｅを有する。押さえ板５３ａの側面側から見たこの切欠き部５３ｅの幅は、ピン５２ｂのくびれ部５２ｄの径よりも若干大きく設定され、かつ、頭部５２ｅ及びピン５２ｂの本体部分の径よりも小さく設定されている。そのため、押さえ板５３ａは、ピン５２ｂのくびれ部５２ｄがこの押さえ板５３ａの縁部から切欠き部５３ｅを通って中心に向かって挿入されて、ピン５２ｂの頭部５２ｅがこの押さえ板５３ａの上面に係合されることを可能にする。
【００６６】
また、押さえ板５３ａは、切欠き部５３ｅを塞がないように縁部に沿って対称に配置される２つの側面部５３ｇ，５３ｇを有する。これら側面部５３ｇ，５３ｇの間の開口５３ｆ，５３ｆは、ピン５２ｂを押さえ板５３ａの縁部から切欠き部５３ｅを通ってスペーサ５３の空間Ｓ内へ挿入することが可能な幅を有する。この幅は、第１の実施形態のワッシャ５４を空間Ｓ内へ挿入するための開口５３ｄ，５３ｄの幅よりも小さい。そのため、これら側面部５３ｇ，５３ｇの面積は、上記第１の実施形態のスペーサ５３の側面部５３ｂ，５３ｂの面積よりも大きく設定されることが可能である。
【００６７】
上記のような構成を有する対震丁番では、通常時において、ピン５２ｂの頭部５２ｅが押さえ板５３ａの上面に係合して、ルーズピン５２がスペーサ５３にぶら下がった状態で、押さえ板５２ａが軸４の鋼球４１から押圧力を受けている。この状態から押さえ板５２ａがその鋼球４１から通常時よりも強い押圧力を受けると、ピン５２ｂは、そのくびれ部５２ｄ全体が切欠き部５３ｅ内に挿入されるまでスペーサ５３の空間Ｓ内へ移動可能となっている。すなわち、ピン５２ｂは、そのくびれ部５２ｄの軸方向に沿った長さ分に相当する距離だけその空間Ｓ内へ移動可能となっている。
【００６８】
以上説明したように、本実施形態の対震丁番によれば、ピン５２ｂのくびれ部５２ｄが押さえ板５３ａの縁部から切欠き部５３ｅに挿入されることにより、ピン５２ｂの頭部５２ｅがスペーサ５３の空間Ｓ内へ挿入されて押さえ板５３ａの上面に係合された状態となる。この状態でピン５２ｂの下端が、押さえ板５２ａから押さえ板５３ａ側へと押圧力を受けると、このピン５２ｂのくびれ部５２ｄは、押さえ板５３ａの切欠き部５３ｅを通ってスペーサ５３の空間Ｓ内へスムーズに抵抗なく挿入されて、バネ５０が押さえ板５３ａに対して圧縮される。したがって、対震丁番が受ける外力をバネ５０によって確実に吸収することができる。
【００６９】
また、スペーサ５３の側面部５３ｇ，５３ｇの開口５３ｆ，５３ｆからピン５２ｂのくびれ部５２ｄを押さえ板５３ａの切欠き部５３ｅに挿入して、スペーサ５３にピン５２ｂを容易に係合することができる。
【００７０】
また、この開口５３ｆ，５３ｆは、例えばワッシャ５４を空間Ｓ内へ挿入するための開口５３ｄ，５３ｄに比べて幅を狭く設定されることが可能であり、これにより、側面部５３ｇ，５３ｇの面積を大きく設定することができる。そのため、側面部５３ｇ，５３ｇとこれらが固定される義星５５の第１の円筒部５５ａとの間の接触面積が増えて、これらの固定を強化することができる。
【００７１】
また、ワッシャ５４のような別個の部材を必要とすることなく、ピン５２ｂをスペーサ５３に係合することができるので、部品点数を減らすことができる。
【００７２】
なお、本考案は、上記実施形態に限られず、種々の変形が可能である。例えば、上記実施形態では、上羽根板２が扉に取り付けられ、下羽根板３が扉枠に取り付けられたが、上羽根板２が扉枠に取り付けられ、下羽根板３が扉に取り付けられてもよい。
【００７３】
また、スペーサ５３の内側に空間Ｓを形成する代わりに、スペーサ５３の内側に管部２１に沿って延びる孔部を設けて、この孔部に沿ってピン５２を移動させるように構成してもよい。
【００７４】
また、スペーサ５３の側面部５３ｂ，５３ｂの開口５３ｄ，５３ｄは、管部２１に沿って形成されていなくてもよく、少なくともワッシャ５４が通過できる程度の大きさを有していればよい。
【００７５】
また、押さえ板５２ａとピン５２ｂとが一体に形成されていたが、これらは必ずしも一体に形成されている必要はなく、別個の部材として組み合わせ可能に構成されてもよい。
【符号の説明】
【００７６】
１  対震丁番
２  上羽根板（第１の羽根板）
３  下羽根板（第２の羽根板）
４  軸
５  ユニット
２０，３０  平板部（第１の取付板及び第２の取付板）
２１，３１  管部（第１の管部及び第２の管部）
２２，３２  取付孔
４０  くぼみ
４１  鋼球
５０  バネ（バネ部材）
５１  保持部材
５２  ルーズピン
５３  スペーサ
５４  ワッシャ（抜け止め部材）
５５  義星（固定部材）
５２ａ  押さえ板（第２の押さえ部材）
５２ｂ  ピン（棒状部材）
５２ｃ，５２ｄ  くびれ部
５２ｅ  頭部
５３ａ  押さえ板
５３ｂ，５３ｇ  側面部
５３ｃ  孔部
５３ｅ，５４ａ  切欠き部
５３ｄ，５３ｆ  開口
５５ａ  第１の円筒部
５５ｂ  第２の円筒部
５５ｃ  円板部
５５ｄ  溶接部
Ｇ  隙間
Ｓ  空間
【図１】
0003187076.tif 000003
【図２】
0003187076.tif 000004
【図３】
0003187076.tif 000005
【図４】
0003187076.tif 000006
【図５】
0003187076.tif 000007
【図６】
0003187076.tif 000008
【図７】
0003187076.tif 000009
【図８】
0003187076.tif 000010
【図１０】
0003187076.tif 000011
【図９】
0003187076.tif 000012